(57)【要約】【課題】データ処理装置とデータ送信装置とを赤外線等の光を介して通信可能とし、データ送信装置からデータ処理装置に同一データを連続して複数回送信し、データ処理装置でエラーなくデータを受信したときに、該データの処理を開始できるようにする。【解決手段】データ処理装置（デジタル複合機）１は、同一データを複数回連続して送信するデータ送信装置（携帯電話）１１と赤外線等の光を介して通信する通信Ｉ／Ｆ９、データ送信装置１１から送信されてくるデータを処理する画像処理部６、通信Ｉ／Ｆ９及び画像処理部６を制御する機器制御部３を備える。機器制御部３は、データ送信装置１１から連続して複数回送信されてくる同一データを順番に受信し、エラーなくデータを受信したときに、そのデータに対する処理を開始するように画像処理部６を制御する。【選択図】図１
2006166274.tif 000002
【特許請求の範囲】
【請求項１】
同一データを複数回連続して送信するデータ送信装置と、該データ送信装置と通信可能なデータ処理装置とを備えたデータ処理システムにおいて、前記データ処理装置は、前記データ送信装置から連続して複数回送信されてくる同一データを順番に受信するデータ受信手段と、該データ受信手段によりエラーなくデータを受信したときに該データに対する処理を開始するデータ処理手段とを備えていることを特徴とするデータ処理システム。
【請求項２】
前記データ送信装置及び前記データ処理装置間におけるデータの送受信は、光を介して行われることを特徴とする請求項１に記載のデータ処理システム。
【請求項３】
前記データ処理装置は、前記データ受信手段によりエラーなくデータを受信した旨をユーザに報知する報知手段を備えていることを特徴とする請求項１に記載のデータ処理システム。
【請求項４】
前記データ処理装置は、前記データ受信手段によりエラーなく受信したデータの処理を開始した旨をユーザに報知する報知手段を備えていることを特徴とする請求項１に記載のデータ処理システム。
【請求項５】
前記データ処理装置は、前記データ受信手段によりエラーなくデータを受信した後、以後のデータを受信しないことを特徴とする請求項１に記載のデータ処理システム。
【請求項６】
前記データ送信装置は、同一データを連続して送信する回数を設定する手段を備えていることを特徴とする請求項１に記載のデータ処理システム。
【請求項７】
前記データ処理装置は、同一データを連続して送信させる回数を設定する手段と、該設定された送信回数で前記同一データを送信するように前記データ送信装置に要求する手段とを備えていることを特徴とする請求項１に記載のデータ処理システム。
【請求項８】
前記データ送信装置は、前記データ処理装置から要求された送信回数に応じて、前記同一データを連続して送信することを特徴とする請求項７に記載のデータ処理システム。
【請求項９】
前記データ送信装置は、各種データを記憶する記憶手段を備えた携帯端末装置であり、前記データ処理装置は、スキャナ機能，コピー機能，ファクシミリ機能，プリンタ機能のいずれか複数の機能を備えたデジタル複合機であることを特徴とする請求項１乃至８のいずれか１に記載のデータ処理システム。
【請求項１０】
同一データを複数回連続して送信するデータ送信装置と通信可能なデータ処理装置において、該データ処理装置は、前記データ送信装置から連続して複数回送信されてくる同一データを順番に受信するデータ受信手段と、該データ受信手段によりエラーなくデータを受信したときに該データに対する処理を開始するデータ処理手段とを備えていることを特徴とするデータ処理装置。
【請求項１１】
請求項１０に記載のデータ処理装置と通信可能なデータ送信装置において、該データ送信装置は、同一データを連続して送信する回数を設定する手段と、該設定された送信回数で前記同一データを連続して送信する手段とを備えることを特徴とするデータ送信装置。
【発明の詳細な説明】
【技術分野】
【０００１】
本発明は、データ処理システム、データ処理装置、及びデータ送信装置、より詳細には、デジタル複合機等のデータ処理装置と、該データ処理装置と通信可能な携帯端末装置等のデータ送信装置とからなるデータ処理システムに関する。
【背景技術】
【０００２】
近年、スキャナ機能，コピー機能，ファクシミリ機能，プリンタ機能などを備え、さらに、外部機器とネットワーク等を介して通信し、各種データの送信／受信を行う機能を備えたデジタル複合機（ＭＦＰ）が商品化されている。このデジタル複合機をコンビニエンスストアやその他の店舗等に設置して、例えば、外出先から画像データの転送を行うサービスなど、デジタル複合機の便利な機能を利用した各種サービスが提供されている。このデジタル複合機には、処理する画像データなどを一時的に記憶する記憶装置（ハードディスクなど）が搭載されたものもあり、大量の画像データ、複数のジョブを効率よく処理できるようになっている。
【０００３】
例えば、特許文献１には、上記デジタル複合機と、携帯電話などの携帯端末装置とを利用して、画像データを送信できるようにしたシステムが提案されている。これは、デジタル複合機と、このデジタル複合機とは独立して携帯可能であり、デジタル複合機と通信可能、かつその他の通信装置と通信可能な携帯電話とを備えたシステムであって、デジタル複合機は、原稿から画像情報を得る画像情報生成手段と、画像メモリと、画像情報を画像メモリに記憶させる一方、画像メモリに記憶されている画像情報を携帯電話に送信するメインＣＰＵとを備え、携帯電話は、メモリと、デジタル複合機から送信されてきた画像情報をメモリに記憶させる一方、メモリに記憶されている画像情報を他の通信装置に送信するＣＰＵとを備えている。これにより、デジタル複合機に取り込まれた画像情報を不特定の場所から特定の送信先に送信できるようにしている。
【特許文献１】特開平１０−６５８６４号公報
【発明の開示】
【発明が解決しようとする課題】
【０００４】
しかしながら、上記特許文献１では、携帯電話をデジタル複合機に対して着脱可能に固定して通信を行っており、両者間で確実に通信を行える反面、携帯電話を所定の位置にセットするための作業が必要となり、ユーザに手間をかけるという問題があった。また、携帯電話を固定せずに、赤外線を利用してデジタル複合機と通信することも可能であるが、赤外線を利用する場合、有線通信に比べて通信環境が悪く、通信状態が安定せず、通信エラーが発生しやすいという問題がある。
【０００５】
本発明は、上述のごとき実情に鑑みてなされたものであり、デジタル複合機などのデータ処理装置と、携帯端末装置などのデータ送信装置とを赤外線等の光を介して通信可能とし、データ送信装置からデータ処理装置に同一データを連続して複数回送信し、データ処理装置でエラーなくデータを受信したときに、該データの処理を開始できるようにすること、を目的としてなされたものである。
【課題を解決するための手段】
【０００６】
上記課題を解決するために、本発明の第１の技術手段は、同一データを複数回連続して送信するデータ送信装置と、該データ送信装置と通信可能なデータ処理装置とを備えたデータ処理システムにおいて、前記データ処理装置は、前記データ送信装置から連続して複数回送信されてくる同一データを順番に受信するデータ受信手段と、該データ受信手段によりエラーなくデータを受信したときに該データに対する処理を開始するデータ処理手段とを備えていることを特徴としたものである。
【０００７】
第２の技術手段は、第１の技術手段において、前記データ送信装置及び前記データ処理装置間におけるデータの送受信は、光を介して行われることを特徴としたものである。
【０００８】
第３の技術手段は、第１の技術手段において、前記データ処理装置は、前記データ受信手段によりエラーなくデータを受信した旨をユーザに報知する報知手段を備えていることを特徴としたものである。
【０００９】
第４の技術手段は、第１の技術手段において、前記データ処理装置は、前記データ受信手段によりエラーなく受信したデータの処理を開始した旨をユーザに報知する報知手段を備えていることを特徴としたものである。
【００１０】
第５の技術手段は、第１の技術手段において、前記データ処理装置は、前記データ受信手段によりエラーなくデータを受信した後、以後のデータを受信しないことを特徴としたものである。
【００１１】
第６の技術手段は、第１の技術手段において、前記データ送信装置は、同一データを連続して送信する回数を設定する手段を備えていることを特徴としたものである。
【００１２】
第７の技術手段は、第１の技術手段において、前記データ処理装置は、同一データを連続して送信させる回数を設定する手段と、該設定された送信回数で前記同一データを送信するように前記データ送信装置に要求する手段とを備えていることを特徴としたものである。
【００１３】
第８の技術手段は、第７の技術手段において、前記データ送信装置は、前記データ処理装置から要求された送信回数に応じて、前記同一データを連続して送信することを特徴としたものである。
【００１４】
第９の技術手段は、第１乃至８のいずれか１の技術手段において、前記データ送信装置は、各種データを記憶する記憶手段を備えた携帯端末装置であり、前記データ処理装置は、スキャナ機能，コピー機能，ファクシミリ機能，プリンタ機能のいずれか複数の機能を備えたデジタル複合機であることを特徴としたものである。
【００１５】
第１０の技術手段は、同一データを複数回連続して送信するデータ送信装置と通信可能なデータ処理装置において、該データ処理装置は、前記データ送信装置から連続して複数回送信されてくる同一データを順番に受信するデータ受信手段と、該データ受信手段によりエラーなくデータを受信したときに該データに対する処理を開始するデータ処理手段とを備えていることを特徴としたものである。
【００１６】
第１１の技術手段は、第１０の技術手段において、該データ送信装置は、同一データを連続して送信する回数を設定する手段と、該設定された送信回数で前記同一データを連続して送信する手段とを備えることを特徴としたものである。
【発明の効果】
【００１７】
本発明によれば、デジタル複合機などのデータ処理装置と、携帯端末装置などのデータ送信装置とを赤外線等の光を介して通信可能とし、データ送信装置からデータ処理装置に同一データを連続して複数回送信し、データ処理装置でエラーなくデータを受信したときに、該データの処理を開始できるため、赤外線等の光を利用した場合でも、確実にデータ通信を行うことができる。また、ユーザは携帯端末装置を手に持ったまま、データ処理装置と通信し、画像データや文書データの印刷など所望の処理を手軽に実行することができる。
【発明を実施するための最良の形態】
【００１８】
図１は、本発明の一実施形態に係るデータ処理システムの概略構成例を示す図で、図中、１はデータ処理装置、１１はデータ送信装置、２０はＬＡＮ等で構成されたネットワーク、２１，２２はネットワーク２０に接続された端末装置、３０はインターネット、３１はインターネット３０に接続されたファクシミリ装置、３２はインターネット３０に接続された端末装置を示す。データ処理装置１とデータ送信装置１１は、赤外線や可視光などの光を介して通信可能とする。赤外線通信を行う場合には、例えば、ＩｒＤＡ（Ｉｎｆｒａｒｅｄ  Ｄａｔａ  Ａｓｓｏｃｉａｔｉｏｎ）規格に準拠した通信方式を適用してもよい。
【００１９】
尚、本実施形態のデータ処理装置１として、スキャナ機能，コピー機能，ファクシミリ機能，プリンタ機能のいずれか複数の機能を備えたデジタル複合機を適用し、データ送信装置１１として、画像データや文書データなど（以下、単にデータという）を記憶する記憶手段を備えた携帯電話を適用した場合を代表例として説明するが、データ処理装置１は、デジタル複合機に限らず、電子写真方式のプリンタなどであってもよく、また、データ送信装置１１は、携帯電話に限らず、データの記憶手段を備えた携帯可能なＰＤＡ（Ｐｅｒｓｏｎａｌ  Ｄｉｇｉｔａｌ  Ａｓｓｉｓｔａｎｔ）や、ノート型パーソナルコンピュータなどであってもよい。
【００２０】
図１において、デジタル複合機１は、原稿を読み取ってデータ入力する画像読み取り部２と、デジタル複合機１が備える各機能を制御する機器制御部３と、ユーザ入力を受け付ける操作部４と、ネットワーク２０を介して端末装置２１，２２と通信し、インターネット３０を介してファクシミリ装置３１，端末装置３２と通信する通信部５と、データの印刷処理を行うデータ処理手段である画像形成部６と、データを記憶するためのハードディスク（ＨＤ）７と、デジタル複合機１の制御情報や設定情報などを記憶するメモリである管理部８と、携帯電話１１との間で赤外線などの光通信を行うための受光部を備えたデータ受信手段である通信インタフェース（通信Ｉ／Ｆ）９と、ＨＤ１２に記憶されたデータを消去する消去手段１０と、を備えている。
【００２１】
本実施形態において、携帯電話１１は、同一データを複数回連続して送信可能とし、デジタル複合機１が備える通信Ｉ／Ｆ９及び機器制御部３は、携帯電話１１から連続して複数回送信されてくる同一データを順番に受信する。画像形成部６及び機器制御部３は、通信Ｉ／Ｆ９によりエラーなくデータを受信したときに、そのデータに対する処理を開始する。このデータに対する処理とは、例えば、画像形成部６からの印刷処理や、ＨＤ７への記憶処理、さらには、ファクシミリ送信処理や、電子メール送信処理などを含むものとする。また、エラーなく受信できたかどうかの判断は、機器制御部３が行う。
【００２２】
上記処理を実行するためのプログラムは管理部８に格納されており、当該プログラムに従って、機器制御部３が、データ受信手段である通信Ｉ／Ｆ９、データ処理手段である画像形成部６それぞれを制御する。
【００２３】
また、通信Ｉ／Ｆ９によりエラーなくデータを受信した後、以後のデータを受信しないようにしてもよい。この処理は、通信Ｉ／Ｆ９及び機器制御部３により実行される。後述の図５に示すように、例えば、同一データを連続して５回送信するように携帯電話１１に設定しておき、携帯電話１１から設定回数（本例では５回）に応じて同一データを連続して送信する。デジタル複合機１が２回目のデータをエラーなく受信した場合、この２回目のデータから処理を開始し、３回目以降を受信しないようにする。尚、データを送る側である携帯電話１１からは同一データを一度に５回連続して送っている。すなわち、設定した回数分の同一データが携帯電話１１から送信され、データを受ける側であるデジタル複合機１が、データの受信状況（エラーなく受信できたかどうか）に従って、次に送信されてくるデータを受信するかどうかを決定する。
【００２４】
以下、図１に示すデジタル複合機１の各部について詳細に説明する。まず、画像読み取り部２は、データを入力するデータ入力手段であり、例えば、画像読み取り手段としてのＣＣＤ（Ｃｈａｒｇｅ Ｃｏｕｐｌｅｄ Ｄｅｖｉｃｅ：電荷結合素子）２ａと、原稿台や自動原稿送り装置（ＡＤＦ）などにセットされた原稿を検知する原稿検知センサ２ｂとを備えている。
【００２５】
操作部４は、各種入力キーなどを備えた入力部４ａと、ＬＣＤ（Ｌｉｑｕｉｄ  Ｃｒｙｓｔａｌ  Ｄｉｓｐｌａｙ：液晶ディスプレイ）などの表示部４ｂとを備えており、デジタル複合機１に対して操作の入力や、各種設定の入力を行う。また、入力部４ａには、デジタル複合機１を利用するユーザの認証情報を入力する認証情報入力手段を配置するようにしてもよい。ユーザの認証情報の入力方法としては、例えば、ユーザコードの直接入力、ＩＤカードの情報読み取り入力、ユーザの生体情報（指紋などの）読み取り入力など様々である。これらのいずれかの方法により、デジタル複合機１のユーザ認証を行えるようにする。
【００２６】
画像形成部６は、携帯電話１１からのデータを処理（出力）するデータ処理（出力）手段であり、揮発性メモリ６ａと、ＬＳＵ（Ｌａｓｅｒ  Ｓｃａｎｎｉｎｇ  Ｕｎｉｔ：レーザ走査ユニット）などの印字部６ｂとを備えている。
【００２７】
ＨＤ７は、携帯電話１１からのデータを一時記憶するための記憶手段であり、データのセキュリティの観点から、メモリ６ａから送られてくるデータを暗号化して記憶し、再びメモリ６ａに送る際にデータを復号するようにしてもよい。これは、デジタル複合機１がコンビニエンスストアやその他の店舗等に設置される場合、不特定多数の人がデジタル複合機１を利用することになるため、ＨＤ７に記憶されているデータを見られないように暗号化して記憶しておく。また、ＨＤ７は、磁気記憶媒体を備えた記憶手段として構成することで、大量のデータ（データ容量、ページ数）を蓄積して順次処理していくことが可能となり、複数のユーザからの指示を効率良く処理することができる。
【００２８】
以下、デジタル複合機１が搭載している画像処理モードに関する動作例について簡単に説明する。
（コピーモード）
本実施形態に係るデジタル複合機１を複写機として利用する場合には、画像読み取り部２で読み取られた原稿のデータが、画像形成部６から複写物として出力される。
【００２９】
画像読み取り部２には、ＣＣＤ２ａが備えられており、読み取り位置にセットされた原稿の画像を電子的に読み取ることができる。そして、読み取られた原稿のデータは、揮発性メモリ６ａ上に出力データとして完成され、一旦ＨＤ７へ記憶される。原稿が複数ある場合は、この読み取り、記憶の動作が繰り返される。その後、操作部４から指示された処理モードに基づいて、ＨＤ７に記憶されたデータが適切なタイミングで順次読み出されて揮発性メモリ６ａに送られる。そして、印字部６ｂへの書き込みタイミングに合わせてデータが揮発性メモリ６ａから印字部６ｂへと転送される。
【００３０】
また、読み取ったデータを複数枚印字する場合も、同様に出力データとしてページ単位でＨＤ７へ記憶され、出力するモードに合わせてＨＤ７から揮発性メモリ６ａに送られ、出力枚数の分だけ繰り返し印字部６ｂへの書き込みタイミングに合わせて印字部６ｂへ転送される。
【００３１】
（プリンタモード）
次に、本実施形態に係るデジタル複合機１をプリンタとして利用する場合には、通信Ｉ／Ｆ９や通信部５から受信したデータが揮発性メモリ６ａなどを介して画像形成部６から出力される。
【００３２】
通信部５は、有線あるいは無線を利用してネットワーク２０と接続されており、ネットワーク２０上に接続された外部機器である端末装置２１，２２からデータを受信する。通信Ｉ／Ｆ９は、携帯電話１１からデータを受信する。このように受信されたデータは、出力するデータとしてページ単位に揮発性メモリ６ａに送られ、一旦ＨＤ７へ記憶される。そして、データは、再びＨＤ７から揮発性メモリ６ａに送られ、前述した複写機として利用する場合と同様にして印字部６ｂへと転送される。
【００３３】
（スキャナモード）
また、本実施形態に係るデジタル複合機１をネットワークスキャナとして利用する場合には、画像読み取り部２において読み取られた原稿のデータを、通信部５からネットワーク２０を介して任意の端末装置２１，２２へ送信することができる。ここでも、画像読み取り部２に備えられたＣＣＤ２ａにより原稿を電子的に読み取る。そして、読み取られた原稿のデータは、揮発性メモリ６ａ上に出力データとして完成され、一旦ＨＤ７へ記憶される。そして、再びＨＤ７から揮発性メモリ６ａに送られ、操作部４を介して指示された送信先との通信を確立させた上で通信部５から目的の送信先へと送信される。
【００３４】
（ファクシミリモード）
さらに、通信部５は、ネットワーク２０，インターネット３０を介してファクシミリ装置３１と接続されている。また、通信部５は、電話回線（図示せず）を介してファクシミリ装置と接続するようにしてもよい。本実施形態に係るデジタル複合機１をファクシミリ装置として利用する場合にも同様の動作が行われ、外部機器との間でデータ送信及び受信が可能となる。
【００３５】
本実施形態に係るデジタル複合機１の各構成部は、機器制御部３により制御され、操作部４に設けられたタブレット，キー群などの入力部４ａからの操作指示を監視すると共に、表示部４ｂを介してデジタル複合機１の状態に関する情報などのユーザに通知すべき情報を的確に案内表示する。また、管理部８には、機器制御部３により制御されている各構成部に関する情報が管理されており、これら情報をもとに、機器制御部３がデジタル複合機１全体の動作を制御する。
【００３６】
図２は、図１に示したデータ処理システムのデジタル複合機１及び携帯電話１１の構成例を示す機能ブロック図である。デジタル複合機１の機器制御部３は、データ受信手段である通信Ｉ／Ｆ９を制御するためのデータ受信制御手段３ａ、データ処理手段である画像形成部６を制御するためのデータ処理制御手段３ｂ、表示部４ｂにメッセージを表示させるなどしてユーザに受信状況を報知する報知手段３ｃを構成する。この報知手段３ｃは、通信Ｉ／Ｆ９によりエラーなくデータを受信した旨をユーザに報知したり、通信Ｉ／Ｆ９によりエラーなく受信したデータの処理を開始した旨をユーザに報知する。さらには、通信エラーが発生した場合、通信Ｉ／Ｆ９によりデータを受信できなかった旨をユーザに報知するようにしてもよい。具体的には、表示部４ｂにメッセージ（例えば、「正常に受信しました。」など）を表示させたり、音声出力手段４ｃから音声出力するようにしてもよい。また、図示しないＬＥＤなどの発光手段により色で報知するようにしてもよい。
【００３７】
前述の図１において説明したように、データ受信制御手段３ａは、携帯電話１１から連続して複数回送信されてくる同一データを順番に受信するように通信Ｉ／Ｆ９を制御したり、通信Ｉ／Ｆ９によりエラーなくデータを受信した後、以後のデータを受信しないように通信Ｉ／Ｆ９を制御する。また、データ処理制御手段３ｂは、通信Ｉ／Ｆ９によりエラーなくデータを受信したときに、そのデータに対する処理を開始するように画像形成部６を制御する。
【００３８】
また、携帯電話１１は、各種情報を表示するためのＬＣＤからなる表示部１１ａと、複数の操作キーを備えた操作部１１ｂと、携帯電話１１を制御する制御部１１ｃと、デジタル複合機１と赤外線等の光を介して通信するための発光部を備えたＩ／Ｆ部１１ｄと、データを記憶する管理部（記憶部）１１ｅと、他の外部機器とネットワークを介して通信するための通信部１１ｆと、を備えている。尚、音声通話手段の記載は省略している。
【００３９】
図２に示すように、管理部１１ｅには、携帯電話１１に関する端末情報，携帯電話１１のユーザに関する所有者情報，ユーザ認証のための個人認証情報，デジタル複合機１に送信する文書情報（または画像情報），同一の文書情報（または画像情報）を連続して送信する送信回数（本例では５回），電話番号情報，及び電子メールのアドレス情報などを記憶している。尚、本例の文書情報には、文書データ毎に、認証の要否や、社内文書／社外文書の識別情報、カラー／白黒の識別情報などが付与されている。
【００４０】
また、携帯電話１１は、上記送信回数を設定する手段を備えており、ユーザによって任意の送信回数を設定することができる。この送信回数は、送信するデータの容量や、画像データ（ＪＰＥＧ形式など）／文書データ（Ｍｉｃｒｏｓｏｆｔ  Ｗｏｒｄ（登録商標）のｄｏｃ形式など）の種別、光通信の通信速度などに応じて適当な回数を設定すればよい。尚、赤外線通信の通信速度は、ＩｒＤＡの規格によれば、速度別に、低速（１１５ｋｂｐｓ）のＳＩＲ、中速（１Ｍｂｐｓ）のＭＩＲ、高速（４Ｍｂｐｓ）のＦＩＲ、さらに、超高速（１６Ｍｂｐｓ）のＶＦＩＲに分けることができる。携帯電話１１は、設定された送信回数に従って、デジタル複合機１に向けて、同一の文書情報（または画像情報）を連続して送信する。
【００４１】
また、デジタル複合機１は、同一データを連続して送信させる回数を設定する手段と、設定された送信回数で同一データを送信するように携帯電話１１に要求する手段とを備えるようにしてもよい。これは、デジタル複合機１の設置環境に応じて、携帯電話１１との通信状態が変化するため、最適な送信回数をデジタル複合機１側に予め保持しておく。最適な送信回数は、例えば、エラーなくデータを受信できた回数の履歴を所定期間記憶しておき、この履歴情報から求めるようにしてもよい。
【００４２】
デジタル複合機１は、携帯電話１１からデータを受信する前に、携帯電話１１と通信して送信回数を送り、その送信回数を携帯電話１１の管理部１１ｅに設定させる。携帯電話１１は、デジタル複合機１から要求（設定）された送信回数に応じて、同一データを連続して送信するようにする。これにより、デジタル複写機１の設置環境に応じた最適な送信回数でデータ送信を行うことができる。
【００４３】
図３は、携帯電話１１に送信回数を設定する処理の一例を説明するためのフロー図である。まず、携帯電話１１は、デフォルトの送信回数を設定し（ステップＳ１）、デジタル複合機１（データ処理装置）にデータ送信を行う際に、デジタル複合機１から送信回数の設定要求が有ったかどうかを判断し（ステップＳ２）、設定要求が有った場合（ＹＥＳの場合）、送信回数を変更するかどうかユーザに確認するための画面を表示して送信回数の変更が選択されたかどうかを判断し（ステップＳ３）、送信回数の変更が選択された場合（ＹＥＳの場合）、上記ステップＳ１に設定されている送信回数を、デジタル複合機１から要求された送信回数に変更する（ステップＳ４）。さらに、携帯電話１１は、設定された送信回数で同一データを連続して送信する（ステップＳ５）。
【００４４】
また、携帯電話１１は、上記ステップＳ２において、デジタル複合機１から設定要求がない場合（ＮＯの場合）、また、上記ステップＳ３において、送信回数の変更が選択されなかった場合（ＮＯの場合）、ステップＳ５に移行し、設定された送信回数で同一データを連続して送信する。
【００４５】
図４は、携帯電話１１からデジタル複合機１に同一データを連続して複数回送信する処理の一例を説明するためのフロー図である。まず、携帯電話１１は、デフォルトの送信回数（Ｎ回）を設定し（ステップＳ１１）、デジタル複合機１に連続してＮ回の同一データ送信を行い、携帯電話１１の表示部に「送信中」を表示する（ステップＳ１２）。デジタル複合機１は、携帯電話１１から送信されてくるデータを順番に受信し、エラーなくデータが受信されたかどうかを判断し（ステップＳ１３）、エラーなくデータを受信できた場合（ＹＥＳの場合）、そのデータに対して処理を実行し（ステップＳ１４）、そのまま終了する。
【００４６】
また、デジタル複合機１は、上記ステップＳ１３において、データ受信中にエラーが発生した場合（ＮＯの場合）、データをＮ回受信したかどうかを判断し（ステップＳ１５）、データをＮ回受信した場合（ＹＥＳの場合）、エラー表示を行う（ステップＳ１６）。また、上記ステップＳ１５において、データをＮ回受信していない場合（ＮＯの場合）、データの受信を継続し（ステップＳ１７）、ステップＳ１３に戻り処理を繰り返す。
【００４７】
図５は、携帯電話１１に設定される送信回数に応じたデータ処理方法の一例を説明するための図である。本例では、同一データを連続して５回送信するように携帯電話１１に設定しておく。従って、携帯電話１１はデジタル複合機１に同一データを連続して５回送信する。例えば、デジタル複合機１が２回目のデータをエラーなく受信した場合、この２回目のデータに対して処理を開始し、３回目以降を受信しないようにする。また、デジタル複合機１が５回全て受信できなかった場合、エラー表示を行う。尚、データを送る側である携帯電話１１からは同一データを一度に５回連続して送っている。すなわち、設定した回数分の同一データが携帯電話１１から送信され、データを受ける側であるデジタル複合機１が、データの受信状況（エラーなく受信できたかどうか）に従って、次に送信されてくるデータを受信するかどうかを決定する。
【００４８】
本発明によれば、デジタル複合機と、携帯端末装置とを赤外線等の光を介して通信可能とし、携帯端末装置からデジタル複合機に同一データを連続して複数回送信し、デジタル複合機でエラーなくデータを受信したときに、そのデータの処理を開始できるため、赤外線等の光を利用した場合でも、確実にデータ通信を行うことができる。また、ユーザは携帯端末装置を手に持ったまま、デジタル複合機と通信し、画像データや文書データの印刷など所望の処理を手軽に実行することができる。
【００４９】
以上、携帯電話からデジタル複合機に対して、同一データを連続して複数回送信する形態を中心に説明したが、デジタル複合機から携帯電話に対して、同一データを連続して複数回送信する形態としてもよい。
【００５０】
本実施形態の場合、前述の図２において、同一データを複数回連続して送信するデータ送信装置がデジタル複合機１となり、デジタル複合機１に発光部を備える構成となる。この場合、携帯電話１１は、デジタル複合機１から連続して複数回送信されてくる同一データを順番に受信するための受光部を備えたデータ受信手段（Ｉ／Ｆ部１１ｄ）と、Ｉ／Ｆ部１１ｄによりエラーなくデータを受信したときに、そのデータに対する処理を開始するデータ処理手段とを備える構成とすればよい。この場合のデータ処理は、例えば、管理部１１ｅに受信データを記憶する処理や、受信データを通信部１１ｆからネットワークを介して他の外部機器に送信する処理などが考えられる。
【図面の簡単な説明】
【００５１】
【図１】本発明の一実施形態に係るデータ処理システムの概略構成例を示す図である。
【図２】図１に示したデータ処理システムのデジタル複合機及び携帯電話の構成例を示す機能ブロック図である。
【図３】携帯電話に送信回数を設定する処理の一例を説明するためのフロー図である。
【図４】携帯電話からデジタル複合機に同一データを連続して複数回送信する処理の一例を説明するためのフロー図である。
【図５】携帯電話に設定される送信回数に応じたデータ処理方法の一例を説明するための図である。
【符号の説明】
【００５２】
１…データ処理装置（デジタル複合機）、２…画像読み取り部、２ａ…ＣＣＤ、２ｂ…原稿検知センサ、３…機器制御部、３ａ…データ受信制御手段、３ｂ…データ処理制御手段、３ｃ…報知手段、４，１１ｂ…操作部、４ａ…入力部、４ｂ，１１ａ…表示部、４ｃ…音声出力手段、５，１１ｆ…通信部、６…画像形成部、６ａ…メモリ、６ｂ…印字部（ＬＳＵ）、７…ハードディスク（ＨＤ）、８…管理部、９…通信インタフェース、１０…消去手段、１１…データ送信装置（携帯電話）、１１ｃ…制御部、１１ｄ…Ｉ／Ｆ部、１１ｅ…管理部（記憶部）、２０…ネットワーク、２１，２２，３２…端末装置、３０…インターネット、３１…ファクシミリ装置。
【図１】
2006166274.tif 000003
【図２】
2006166274.tif 000004
【図３】
2006166274.tif 000005
【図４】
2006166274.tif 000006
【図５】
2006166274.tif 000007